【事件の表示】
　特許第２８１６１６６号「印刷制御装置の文字方向制御方法」の請求項１ないし６に係る特許に対する特許異議の申立てについて、次のとおり決定する。
【結論】
　訂正を認める。
　特許第２８１６１６６号の請求項１ないし２に係る特許を維持する。
【理由】
Ｉ．手続きの経緯
　本件特許第２８１６１６６号発明は、昭和６３年１２月３日に出願され、平成１０年８月１４日にその特許の設定登録がなされ、その後、相原光政より特許異議の申立てがなされ、取消理由通知がなされ、その指定期間内である平成１１年１１月２日に訂正請求がなされたものである。
ＩＩ．訂正の適否についての判断
１．訂正の要旨
　▲１▼訂正事項ａ
　特許請求の範囲の【請求項１】中の、「印刷文書の種類が」を「混在する印刷文書の種類が」と訂正する。
　▲２▼訂正事項ｂ
　特許請求の範囲の【請求項１】中の、「上記の用紙方向と印刷文書の種類との組合せが」を「上記の用紙方向と印刷文書の種類との組合せにより文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、」と訂正する。
　▲３▼訂正事項ｃ
　特許請求の範囲の【請求項２】中の、「上記の用紙方向と印刷文書の種類との組合せが」を「上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビットマップメモリに展開し、次に上記の組合せによりビットマップメモリの情報を先頭部から読み出すかビットマップメモリの最後部から読み出すかを選択する手段とを用いて、」と訂正する。
　▲４▼訂正事項ｄ
　請求項３〜６を削除する。
　▲５▼訂正事項ｅ
　［課題を解決するための手段］の項（特許公報３頁６欄８〜１８行）を次に訂正する。
　「［課題を解決するための手段］
　上記目的は、次のようにして達成される。
　一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする。
　もう一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビットマップメモリに展開し、次に上記の組合せによりビットマップメモリの情報を先頭部から読み出すかビットマップメモリの最後部から読み出すかを選択する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする。」
　▲６▼訂正事項ｆ
　［発明の効果］の項中の、「また非長手方向セットでも、」（特許公報５頁１０欄８行）を「非長手方向セットでも、また、ポートレート文書とランドスケープ文書が混在する場合でもそれらの」と訂正する。
２．訂正の目的、新規事項禁止、拡張変更禁止の各要件の判断
　▲１▼訂正事項ａは、願書に添付した明細書又は図面に記載した事項の範囲内（特に、特許公報２頁４欄６行、同３頁６欄４〜５行参照）で、ポートレート文書とランドスケープ文書が混在することを限定するものであり、特許請求の範囲の減縮を目的とするものであって、上記各要件を満たすものである。
　▲２▼訂正事項ｂは、願書に添付した明細書又は図面に記載した事項の範囲内（特に、訂正前の請求項４、特許公報４頁７欄１２行〜８欄６行参照）で、綴じ方向を揃える手段を限定するものであり、特許請求の範囲の減縮を目的とするものであって、上記各要件を満たすものである。
　▲３▼訂正事項ｃは、願書に添付した明細書又は図面に記載した事項の範囲内（特に、訂正前の請求項６、特許公報４頁８欄２７行〜５頁９欄３７行参照）で、綴じ方向を揃える手段を限定するものであり、特許請求の範囲の減縮を目的とするものであって、上記各要件を満たすものである。
　▲４▼訂正事項ｄは、請求項を削除するものであり、特許請求の範囲の減縮を目的とするものであって、上記各要件を満たすものである。
　▲５▼訂正事項ｅ，ｆは、上記訂正事項ａ，ｂ，ｃとの整合を図るものであり、上記各要件を満たすものである。
３．独立特許要件の判断と訂正の適否のまとめ
　以下に述べるように、訂正後の請求項１，２に係る発明は特許出願の際独立して特許を受けることができない発明とすることはできないことから、上記訂正は、特許法１２０条の４第２項及び同条第３項で準用する第１２６条第２乃至４項の規定に適合するので、当該訂正を認める。
ＩＩＩ．異議申立についての判断
１．本件請求項１，２に係る発明
　本件請求項１，２に係る発明は、訂正明細書及び図面の記載からみて、訂正明細書の特許請求の範囲の請求項１，２に記載された事項により特定される次のとおりのものである。
「１．印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする印刷制御装置の文字方向制御方法。
　２．印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビットマップメモリに展開し、次に上記の組合せによりビットマップメモリの情報を先頭部から読み出すかビットマップメモリの最後部から読み出すかを選択する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする印刷制御装置の文字方向制御方法。」
２．異議申立の理由と証拠
　これに対し、当審は異議申立の理由と証拠を採用して取消理由を通知した。
　異議申立の証拠とその記載事項は次のとおりである。
　甲第１号証：特開昭６１−７７０６９号公報
「この発明は・・・イメージデータをページ単位で像形成する記録装置に関するものである。・・・従来・・・画像が記録紙上で不都合な位置にあるような場合・・・画像データを再度作成し直さなければならず、特に両面に像を形成する場合に、一方の面に支障がないようにしても他方の面では不都合を生じてしまう欠点があった。［発明の目的］この発明は、・・・記録紙上の搬送方向に対して記録紙の両面のそれぞれについて任意の位置に画像印字領域を移動させる印字画像移動手段と、記録紙の一方の面と他方の面との見開きページを一致させる印字制御手段とを設けることにより、・・・画像形成位置を自由に変更し、かつ、任意の綴じ代辺に対して両面に印字された記録紙の見開きページを両面とも一致させることができる記録装置を提供することを目的とする。」（１頁左下欄１９行〜２頁左上欄１０行）、
「第１０図…第１１図…は両面記録装置による画像印字出力を説明する図である。・・・記録紙１０１・・・は・・・ランドスケープ・・・横書き・・・横送り・・・の場合であり、・・・記録紙１０２・・・は・・・ポートレイト・・・横書き・・・横送り・・・の場合であり、・・・印字された文字が見開きページ状で文字方向がずれた記録紙１０３ｃ，１０４ｃが得られ・・・印字された文字が見開きページ上で文字方向がずれた記録紙１１１ｃ，１１２ｃが得られ・・・両面に印字された記録紙を製本すると、各ページ毎に記録紙を反転しなければならない不都合が生じていた。」（５頁左下欄１５行〜６頁左下欄２０行）、
「第１３図はこの発明の一実施例を示す両面記録装置の制御ブロック図であり、・・・１４７は前記ＣＧ１４６からのドットパターンを９０°単位で任意に回転できるフォントローテータ、・・・動作について説明する。・・・イメージプロセサ１４５は指定されたページ情報をページバッファ１４４から読み出し、ページ情報中の文字コードに応じた文字パターンをＣＧ１４６からフォントローテータ１４７を介して読み込み、イメージバッファ１４８上の適当な位置へドットイメージに展開する。・・・ビデオジェネレータ１４９はイメージバッファ１４８上の１ページのイメージをビデオ信号に変調してプリンタへ送出する。・・・ＣＰＵ１４３は一連のデータの印字の最初に各レジスタ，カウンタ，ポインタを下記のように初期化する。まず、ＣＰＵ１４３は・・・ページ方向，縦書き／横書きの別を決定する。そして、給紙部１２１から入力されている現在の記録紙の縦送り／横送り方向を検知してページ方向，縦書き／横書きとの組み合せから記録紙搬送方向Ｂに対する行方向および文字方向を決め、行方向レジスタ１５０，文字方向レジスタ１５１にセットする。・・・記録紙の反転軸方向Ａと記録紙の綴じ代辺とが平行する記録紙の場合は・・・見開きページ上の文字方向が正しく一致するので反転フラグ１５２をＯＦＦする。一方、記録紙の反転軸方向Ａと記録紙の綴じ代辺とが直交する記録紙の場合・・・見開きページ上の文字方向が逆転してしまうので反転フラグ１５２をＯＮにする。・・・ＣＰＵ１４３はプリントポインタ１５４の示すページが奇数ページ・・・であれば、行方向レジスタ１５０，文字方向レジスタ１５１中の情報をそのままイメージプロセサ１４５へ送り、プリントポインタ１５４の示すページが偶数ページ・・・であれば、反転フラグ１５２を調べ・・・「ＯＦＦ」であれば・・・行方向レジスタ１５０，文字方向レジスタ１５１の情報をそのままイメージプロセサ１４５へ送る。・・・ＯＮの場合は・・・行方向レジスタ１５０，文字方向レジスタ１５１の情報をそれぞれ逆方向に変換してイメージプロセサ１４５へ送る。イメージプロセサ１４５はＣＰＵ１４３からの行方向，文字方向の指示に基づいて・・・１文字ずつ・・・展開する。・・・文字方向情報はフォントローテータ１４７への回転角度指示を与えることになる。・・・行方向情報は各文字毎のイメージバッファ１４８上での位置を更新するための情報となっている。」（７頁右上欄１１行〜９頁左上欄１６行）、
「ＣＰＵ１４３は現在のページ、すなわち・・・印字すべきページのページバッファアドレスを調べ、・・・次に・・・反転フラグ１５２が・・・ＯＦＦならば両面に印字するページ方向は同方向となり、・・・反転フラグ１５２がＯＮであると判断された場合は、・・・現在のページ情報が偶数ページであればステップ（２５−３）へ移り、・・・このように反転フラグ１５２がＯＦＦの場合はページの奇数／偶数に関わらず、同一の行／文字方向、すなわち同じページの方向に印字され・・・ＯＮの場合は、ページの奇数／偶数に応じて・・・表面と裏面ではページの方向が異なる印字が行われる。」（１０頁右下欄５行〜１１頁右上欄９行）、
「［発明の効果］・・・この発明は・・・記録媒体上の画像形成位置を自由に変更して設定することができるばかりでなく、・・・見開きページを自動的に一致させることができる利点を有する。」（１１頁左下欄１６行〜右下欄６行）、
等が記載されている。
３．対比・判断
　本件請求項１に係る発明と甲第１号証記載の発明とを対比するに、両者は、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転、９０°回転より　　選択した向きに回転させてビットマップメモリに展開する手段とを用いて、制御をおこなうことを特徴とする印刷制御装置の文字方向制御方法、である点で一致し、次の点で相違する。
　前者が、ポートレート文書とランドスケープ文書とが混在するものについて、文字の左右９０°回転も選択できるようにして、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御を行うのに対し、後者は、一連のデータについて、任意の位置に画像印字領域を移動させる印字画像移動手段及び記録紙の一方の面と他方の面との見開きページを一致させる印字制御手段も設けて、画像形成位置を自由に変更し、かつ、任意の綴じ代辺に対して両面に印字された記録紙の見開きページを両面とも一致させる制御を行う点。
　相違点について検討するに、甲第１号証には、文字を０°回転、左９０°回転、右９０°回転できる手段について記載はあるが、印刷すべき一連の文書にポートレート文書とランドスケープ文書とが混在していても、かつ、用紙方向が長手方向セットか非長手方向セットかに拘わらず、綴じ方向を揃える制御を行うことについては記載がない。
　これについて、申立人は、該混在は文字方向制御方法を単に頁単位で行うことを規定するのみであり、甲第１号証においても、１頁を単位としてポートレート文書かランドスケープ文書かを判断して綴じ方向が揃うように行方向及び文字方向を制御することが示唆されている旨主張している。
　しかし、該混在は制御対象となる印刷すべき一連の文書がポートレート文書とランドスケープ文書とが混在したものであることを規定するものであるのに対して、甲第１号証には、制御対象となる印刷すべき一連の文書がポートレート文書とランドスケープ文書のいずれかであることしか記載がなく、制御についても、用紙のセット方向に拘わらず、同じ種類の一連の文書を両面印刷して綴じたときの見開き頁に不都合のないように綴じ方向を揃えることについては記載されているが、用紙のセット方向に拘わらず、異なる種類が混在した一連の文書を印刷して綴じたときの綴じ代と各文書との関係が一定の形式となるように綴じ方向を揃えることについては記載されておらず、示唆もされていないため、この主張は採用できず、本件請求項１に係る発明が文字の左右９０°回転も選択できる点にも意義が認められる。
　そして、本件請求項１に係る発明は、異なる種類の文書が混在していても、かつ、用紙のセット方向に拘わらず、印刷後に印刷文書の綴じ方向を揃え直さずにそのまま綴じることができるという明細書記載の格別の効果を奏することから、甲第１号証記載の発明と同一であるとも、甲第１号証記載の発明に基づいて当業者が容易に発明をすることができたものであるとも認められない。
　次に、本件請求項２に係る発明と甲第１号証記載の発明とを対比するに、両者の一致点は上述した本件請求項１に係る発明の場合と同じであり、前者が、ポートレート文書とランドスケープ文書とが混在するものについて、ビットマップメモリの情報を先頭部から読み出すかビットマップメモリの最後部から読み出すかも選択できるようにして、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御を行うのに対し、後者は、一連のデータについて、任意の位置に画像印字領域を移動させる印字画像移動手段及び記録紙の一方の面と他方の面との見開きページを一致させる印字制御手段も設けて、画像形成位置を自由に変更し、かつ、任意の綴じ代辺に対して両面に印字された記録紙の見開きページを両面とも一致させる制御を行う点で相違する。
　よって検討するに、両者の間には上述した本件請求項１に係る発明の場合と同様の理由が存在し、一般的には周知のビットマップメモリの情報を先頭部から読み出すか最後部から読み出すかを選択できる点にも意義が認められ、しかも、本件請求項２に係る発明は、上述した本件請求項１に係る発明の場合と同様の明細書記載の格別の効果を奏することから、甲第１号証記載の発明と同一であるとも、甲第１号証記載の発明に基づいて当業者が容易に発明をすることができたものであるとも認められない。
ＩＶ．むすび
　したがって、特許異議申立ての理由及び証拠によっては、本件請求項１，２に係る特許を取り消すことはできない。
　また、他に本件請求項１，２に係る特許を取り消すべき理由を発見しない。
　よって、結論のとおり決定する。
【異議決定日】
平成１１年１２月１４日（１９９９．１２．１４）
【訂正の要旨】
訂正の要旨
　▲１▼訂正事項ａ
　特許請求の範囲の【請求項１】中の、「印刷文書の種類が」を、特許請求の範囲の減縮を目的として、「混在する印刷文書の種類が」と訂正する。
　▲２▼訂正事項ｂ
　特許請求の範囲の【請求項１】中の、「上記の用紙方向と印刷文書の種類との組合せが」を、特許請求の範囲の減縮を目的として、「上記の用紙方向と印刷文書の種類との組合せにより文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、」と訂正する。
　▲３▼訂正事項ｃ
　特許請求の範囲の【請求項２】中の、「上記の用紙方向と印刷文書の種類との組合せが」を、特許請求の範囲の減縮を目的として、「上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビットマップメモリに展開し、次に上記の組合せによりビットマップメモリの情報を先頭部から読み出すかビットマップメモリの最後部から読み出すかを選択する手段とを用いて、」と訂正する。
　▲４▼訂正事項ｄ
　請求項３〜６を、特許請求の範囲の減縮を目的として、削除する。
　▲５▼訂正事項ｅ
　［課題を解決するための手段］の項（特許公報３頁６欄８〜１８行）を、特許請求の範囲との整合を図るために、　次に訂正する。
「［課題を解決するための手段］
　上記目的は、次のようにして達成される。
　一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする。
　もう一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビットマップメモリに展開し、次に上記の組合せによりビットマップメモリの情報を先頭部から読み出すかビットマップメモリの最後部から読み出すかを選択する手段とを用いて、長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする。」
　▲６▼訂正事項ｆ
　［発明の効果］の項中の、「また非長手方向セットでも、」（特許公報５頁１０欄８行）を、特許請求の範囲との整合を図るために、「非長手方向セットでも、また、ポートレート文書とランドスケープ文書が混在する場合でもそれらの」と訂正する。
（５４）【発明の名称】
印刷制御装置の文字方向制御方法
（５７）【特許請求の範囲】
１．印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、
混在する
により文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、
　２．印刷制御装置の文字方向制御方法において、印刷装置にセットされている、用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せ
により文字の向きをあらかじめ決定し、前記セットされる用紙方向と印刷文書の種類との判断に応じて、文字を０°回転，９０°回転のいずれかに回転させてビツトマツプメモリに展開し、次に上記の組合せによりビツトマツプメモリの情報を先頭部から読み出すかビツトマツプメモリの最後部から読み出すかを選択する手段とを用いて、
【発明の詳細な説明】
　〔産業上の利用分野〕
　本発明は、印刷制御装置の文字方向制御方法に係り、特に、印刷を複数枚おこなうとき、縦長・横書き文書（以下、このような文書をポートレート文書という）と横長・横書き文書（以下、このような文書をランドスケープ文書という）とが混在しても、印刷文書の綴じ方向が揃うように文字の向きを制御する印刷制御装置の文字方向制御方法に関する。
　〔従来の技術〕
　ワードプロセツサの印刷装置として、自動給紙付きのワイヤドツトプリンタや、既に自動給紙機能が内蔵されているレーザプリンタが普及しつつあり、これらは、文書を複数枚印刷するとき特に有利であることが知られている。
　しかし、文書が複数枚になると、印刷文書の中にポートレート文書とランドスケープ文書とが混在することも多々ある。いま、このような印刷装置の排紙方向に対して用紙を長手方向にセツト（以下、このような方向にセツトすることを長手方向セツトという）し、ポートレート文書が印刷されるような印刷制御装置を使用した場合を考えると、ランドスケープ文書を印刷するには、あらかじめ印刷装置の排紙方向に対して用紙を短い方向にセツト（以下、このような方向にセツトすることを非長手方向セツトという）して印刷する必要がある。このため、取扱者が用紙を毎回セツトし直していたのでは、印刷装置の高速性を生かすことはできない。そこで、機能の高い印刷制御装置では、印刷する際、ポートレート文書であるかランドスケープ文書であるかを判断して、後者であれば、文字を９０°回転して印刷するよう、文字の向きを自動的に制御することによつて、取扱者が用紙をセツトし直すことなく、高速に印刷できるよう構成している。なお、この種の例は、日立日本語ワードプロセツサＷｏｒｄ　Ｐａｌ　８６０操作説明書　増補版　レーザプリンタ編　１８ページ（昭和６２年４月２０日発行）に記載されている。
　また、単に文字方向を回転して印刷する方法は、例えば特開昭６０−５２３４５号公報および特開昭６３−３９３５０号公報などに記載されている。
　〔発明が解決しようとする課題〕
　ところで、上記日立日本語ワードプロセツサにおいて、用紙のセツト方向は、長手方向（縦長方向）に固定で、表１のように文書の種類により文字の向きを変えて印刷しており、これによつて、第３図のような印刷文書が得られる。
　そして、用紙のセツト方向が長手方向である長所は、非長手方向に比べてより大きいサイズの用紙に印刷可能なことである。例えば、非長手方向で用紙サイズＡ４まで印刷可能であれば、長手方向では、Ａ３まで印刷可能である。
　しかし、短所は、同一サイズの用紙を印刷する場合、排紙方向に用紙が長い分だけ印刷に時間がかかるということである。例えば、用紙サイズＡ４を印刷
　そこで、用紙のセツト方向を固定せずに、用紙が大きい場合は長手方向で、また用紙が小さい場合は非長手方向で印刷速度を速くするようにすれば、印刷装置の使い勝手は向上する。
　このため、用紙を非長手方向セツトで印刷しようとしたとき、ランドスケープ文書の文字の向きは回転する必要がないため、そのままとすれば、ポートレート文書の文字の向きは、表２のように、左９０°回転、あるいは表３のように、右９０°回転とする必要がある。
そして、印刷文書は、表２は第４図のようになり、表３は第５図のようになるが、第４図のような印刷文書では、用紙の綴じ方向が揃わない。これに対し、第５図のようにすれば、用紙の綴じ方向が揃い、印刷装置の使い勝手が向上する。
　しかし、上記従来技術では、用紙を非長手方向にセツトして印刷する点について認識されていなかつた。
　一方、特開昭６０−５２３４５号公報および特開昭６３−３９３５０号公報においては、単に文字方向を回転して印刷する方法が開示されているのみで、ポートレート文書とランドスケープ文書とが混在して複数枚印刷したときの綴じ方向に関する制御方法については考慮されていなかつた。
　本発明の目的は、長手方向セツトおよび非長手方向セツトの両方の用紙セツト方向をサポートし、かつ印刷文書の中にポートレート文書とランドスケープ文書とが混在しても、印刷文書の綴じ方向が揃うよう、文字の向きを制御する印刷装置の文字方向制御方法を提供することにある。
　〔課題を解決するための手段〕
　上記目的は、
次のようにして達成される。
　一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、
混在する
により文字の向きをあらかじめ決定し、前記セットされる用紙方向と印刷文書の種類との判断に応じて、文字を０°回転、左９０°回転、右９０°回転より選択した向きに回転させてビットマップメモリに展開する手段とを用いて、
を特徴とする。
　
もう一つは、印刷制御装置の文字方向制御方法において、印刷装置にセットされている用紙方向が印刷装置の排紙方向に対して長手方向にセット（長手方向セット）されているか短い方向にセット（非長手方向セット）されているかを判断する手段と、混在する印刷文書の種類が縦長・横書き文書（ポートレート文書）か横長・横書き文書（ランドスケープ文書）かを判断する手段と、上記の用紙方向と印刷文書の種類との組合せにより文字の向きをあらかじめ決定し、前記セットされる用紙方向と印刷文書の種類との判断に応じて、文字を０°回転，９０°回転のいずれかに回転させてビツトマツプメモリに展開し、次に上記の組合せによりビツトマツプメモリの情報を先頭部から読み出すかビツトマツプメモリの最後部から読み出すかを選択する手段とを用いて、
長手方向セット・ポートレート文書のときの綴じ方向と長手方向セット・ランドスケープ文書のときの綴じ方向とを揃え、また非長手方向セット・ポートレート文書のときの綴じ方向と非長手方向セット・ランドスケープ文書のときの綴じ方向とを揃える制御をおこなうことを特徴とする。
　〔作用〕
　しかして、上記制御方法を採用する本発明によれば、印刷装置にセツトされている用紙方向が長手方向セツトのときは、ポートレート文書の綴じ方向とランドスケープ文書の綴じ方向とが揃う。また、印刷装置にセツトされている用紙方向が非長手方向セツトのときも、ポートレート文書の綴じ方向とランドスケープ文書の綴じ方向とが揃い、このように、印刷装置にセツトされている用紙方向が長手方向セツトでも、また非長手方向セツトでも、印刷文書の綴じ方向は揃うことになる。
　〔実施例〕
　以下、本発明を、第１図，第２図および第６図から第１１図により説明すると、第２図はワードプロセツサから文字コードや制御コードを受信し、これらのコードを基に、文字をビツトマツプメモリに展開し、このビツトマツプメモリからデータを読み出してレーザプリンタへ送出する印刷制御装置全体のブロツク図である。
　しかして、第２図において、ＣＰＵ１は、印刷制御装置全体を制御する中央処理装置である。ワードプロセツサインターフエース２は、ワードプロセツサからの文字コードや制御コードを受信するポートである。フオントＲＯＭ３は、文字フオントを格納するリードオンリーメモリである。プログラムＲＯＭ４は、ＣＰＵ１に印刷制御装置全体の制御をおこなわしめるプログラムを格納するリードオンリーメモリである。ワークＲＡＭ５は、ＣＰＵ１がワークエリアとして使用する読み書き可能なランダムアクセスメモリである。ビツトマツプメモリ６は、このメモリ６のビツトとレーザプリンタのドツトとが１対１に対応している読み書き可能なランダムアクセスメモリである。レーザプリンタインターフエイス７は、レーザプリンタからの動作状態のデータを受け取るポートである。読出回路８は、ビツトマツプメモリ６のデータを読み出してレーザプリンタへ送出する回路である。フオント回転回路９は、文字フオントのデータを書き込めば左９０°るいは右９０°回転した文字フオントのデータを読み出すことのできる（ラツチ回路をマトリクス状に配列した）回路である。
　なお、本実施例において、レーザプリンタは、用紙方向が長手方向セツトのとき用紙サイズＡ３まで印刷可能な機種とする。また、ビツトマツプメモリ６も、Ａ３まで印刷可能なように展開領域を持ち、フオントＲＯＭ３の文字フオントをそのままビツトマツプメモリ６に展開すれば、第６図のような用紙サイズＡ３のポートレート文書が印刷されるものとする。
　次に、上記第２図を参照しつつ、第１図のフローチャートによつて本実施例の動作を説明すると、ＣＰＵ１は、印刷するにあたつて、まず、始めに、ワードプロセツサインターフエイス２を通してワードプロセツサからの制御コードを受信し、文書の種類（ポートレート文書あるいはランドスケープ文書）を判断する。
　なお、レーザプリンタ側では、第１４図に示すように、用紙をカセツトに収納しており、カセツトの側面には、着脱可能なピンが位置しており、カセツトに収納された用紙のサイズや用紙方向を上記ピンの有無によつて表現する。すなわち、レーザプリンタは、上記ピンの有無を検知することにより、セツトされているカセツトの用紙サイズや用紙方向を知ることができる。
　そして、レーザプリンタインターフエイス７を通してレーザプリンタの動作状態のデータを受け取り、レーザプリンタにセツトされている用紙方向（長手方向セツトあるいは非長手方向セツト）を判断するものであつて、上記の条件より、表４にしたがつて文字の向きを決定する（第１図のステツプ１０１〜１０３）。
　次に、ワードプロセツサインターフエイス２を通してワードプロセツサからの文字コードを受信し、これにしたがつてフオントＲＯＭ３の文字フオントをビツトマツプメモリ６に展開する。ここで、文字の向きを回転する必要があるときは、フオントＲＯＭ３の文字フオントを一旦フオント回転回路９に書き込み、文字を左９０°あるいは右９０°回転させてからこれを読み出し、ビツトマツプメモリ６に展開する（１０４〜１１７）。このようにして１ページ分が展開できたならば、ビツトマツプメモリ６のデータを読出回路８を通して読み出し、レーザプリンタに送出して印刷する（１１７）。なお、このとき得られる印刷文書は、用紙サイズＡ３・長手方向セツト・ポートレート文書のとき第６図、用紙サイズＡ３・長手方向セツト・ランドスケープ文書のとき第７図、用紙サイズＡ４・長手方向セツト・ポートレート文書のとき第８図、用紙サイズＡ４・長手方向セツト・ランドスケープ文書のとき第９図、用紙サイズＡ４・非長手方向セツト・ポートレート文書のとき第１０図、用紙サイズＡ４・非長手方向セツト・ランドスケープ文書のとき第１１図となる。
　そして、本実施例によれば、レーザプリンタにセツトされている用紙方向が長手方向セツトのとき、ポートレート文書の綴じ方向は、レーザプリンタの排紙方向に対して左側となり、ランドスケープ文書の綴じ方向も左側となる。また、レーザプリンタにセツトされている用紙方向が非長手方向セツトのとき、ポートレート文書の綴じ方向は、レーザプリンタの排紙方向に対して上側となり、ランドスケープ文書の綴じ方向も上側となる。このように、レーザプリンタにセツトされている用紙方向が長手方向セツトでも、また非長手方向セツトでも、印刷文書の綴じ方向は揃うことになり、これにより、印刷後に印刷文書の綴じ方向を揃え直さずに、そのまま綴じることができる。
　なお、セツトされている用紙方向の情報がレーザプリンタインターフエイス７を通して得られないレーザプリンタを使用した場合は、取扱者が用紙方向の情報をワードプロセツサのキーボード等より入力し、ワードプロセツサインターフエイス２を通して印刷制御装置に送り、これによつて用紙方向を判断する制御をおこなうようにしても、上記実施例と同様の効果が得られる。
　ここで、本発明の他の実施例を、第２図および第１３図により説明する。なおこの実施例も、第２図に示すような印刷制御装置を有する。ただし、読出回路８は、ビツトマツプメモリ６の先頭部からも、また最後部からも読み出すことができて、レーザプリンタに送出する回路であり、上記第１の実施例のものより高機能である。また、フオント回転回路９は、文字フオントのデータを書き込めば、左９０°回転した文字フオントのデータを読み出すことのできる回路であり、上記第１の実施例に比べて右９０°回転は必要ない。
　次に、上記第２図および第１３図を参照しつつ、第１２図のフローチヤートによつて本実施例の動作を説明すると、ＣＰＵ１は、印刷するにあたつて、まず、始めに、ワードプロセツサインターフエイス２を通してワードプロセツサからの制御コードを受信し、文書の種類（ポートレート文書あるいはランドスケープ文書）を判断する。そして、レーザプリンタインターフエイス７を通してレーザプリンタの動作状態のデータを受け取り、レーザプリンタにセツトされている用紙方向（長手方向セツトあるいは非長手方向セツト）を判断するものであつて、上記の条件により、表５にしたがつて文字の向きを決定する（第１２図の２０１〜２０３）。
　次に、ワードプロセツサインターフエイス２を通してワードプロセツサからの文字コードを受信し、これにしたがつてフオントＲＯＭ３の文字フオントをビツトマツプメモリ６に展開する。ここで、文字の向きを回転する必要があるときは、フオントＲＯＭ３の文字フオントを一旦フオント回転回路９に書き込み、文字を左９０°回転させてからこれを読み出し、ビツトマツプメモリ６に展開する（２０４〜２１１）。このようにして１ページ分が展開できたならば、次に表６にしたがって読出回路８にビツトマツプメモリ６の先頭部から読み出すか、最後部から読み出すかをセツトする。
　そして、この後、ビツトマツプメモリ６のデータを読出回路８を通して読み出し、レーザプリンタに送出して印刷する（２１２〜２１５）。なお、このとき得られる印刷文書とビツトマツプメモリ６との展開の関係は、上記第１の実施例の第６図から第１１図までの印刷文書を例にとると、第１０図（用紙サイズＡ４・非長手方向セツト・ポートレート文書）以外は同一となる。第１０図（用紙サイズＡ４・非長手方向セツト・ポートレート文書）のときは、本実施例では、第１３図のようになる。しかし、読出回路８は、ビツトマツプメモリ６の最後部から読み出すため、印刷文書の綴じ方向は、レーザプリンタの排紙方向に対して上側となり、第１０図と同じ印刷文書が得られる。
　そして、本実施例によれば、上記第１の実施例に比べて、読出回路８は高機能となるが、文字の回転に関するプログラムやこれにともなう座標管理プログラムは、文字の０°回転と左９０°回転のみで済み、右９０°回転用のプログラムを必要とすることなく、上記第１の実施例と同様の効果が得られる。
　〔発明の効果〕
　以上、本発明によれば、印刷装置にセツトされている用紙方向が長手方向セツトのときは、ポートレート文書の綴じ方向とランドスケープ文書の綴じ方向とが揃う。また、印刷装置にセツトされている用紙方向が非長手方向セツトのときも、ポートレート文書の綴じ方向とランドスケープ文書の綴じ方向とが揃い、このように、印刷装置にセツトされている用紙方向が長手方向セツトでも、
非
また、ポートレート文書とランドスケープ文書が混在する場合でもそれらの
【図面の簡単な説明】
　第１図は本発明方法によつて印刷制御装置の文字方向を制御する場合の一実施例を示す動作フローチヤート、第２図は本発明方法の実施に供される印刷制御装置の全体構成を示すブロツク図、第３図は表１にしたがつて用紙を長手方向にセツトしたときの、ポートレート文書とランドスケープ文書との印刷文書例を示す図、第４図は表２にしたがつて用紙を非長手方向にセツトしたときの、ポートレート文書とランドスケープ文書との印刷文書例を示す図、第５図は表３にしたがつて用紙を非長手方向にセツトしたときの、ポートレート文書とランドスケープ文書との印刷文書例を示す図、第６図〜第１１図は第１図の処理フローにしたがう各種印刷文書例を示し、第６図は用紙サイズＡ３・長手方向セツト・ポートレート文書のときの印刷文書例を示す図、第７図は用紙サイズＡ３・長手方向セツト・ランドスケープ文書のときの印刷文書例を示す図、第８図は用紙サイズＡ４・長手方向セツト・ポートレート文書のときの印刷文書例を示す図、第９図は用紙サイズＡ４・長手方向セツト・ランドスケープ文書のときの印刷文書例を示す図、第１０図は用紙サイズＡ４・非長手方向セツト・ポートレート文書のときの印刷文書例を示す図、第１１図は用紙サイズＡ４・非長手方向セツト・ランドスケープ文書のときの印刷文書例を示す図、第１２図は本発明方法によつて印刷制御装置の文字方向を制御する場合の他の実施例を示す動作フローチヤート、第１３図は第１２図の処理フローにしたがう用紙サイズＡ４・非長手方向セツト・ポートレート文書のときのビツトマツプメモリ６の展開状態を示す図、第１４図はレーザプリンタ用用紙収納カセツトの斜視図である。１…ＣＰＵ、２…ワードプロセツサインターフエイス、３…フオントＲＯＭ、４…プログラムＲＯＭ、５…ワークＲＡＭ、６…ビツトマツプメモリ、７…レーザプリンタインターフエイス、８…読出回路、９…フオント回転回路。
【図面】